【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
少なくとも１つのエネルギービーム（４）によって固化可能な造形材料（３）層の、連続的な層ごとの選択照射及び固化によって３次元物体（２）を付加製造するための少なくとも１つの装置（１）を操作する方法であって、前記エネルギービーム（４）が、造形材料（３）を照射するために、造形平面（６）内に配置された少なくとも１つの規定ビーム経路（９）に沿って案内可能である方法において、
前記少なくとも１つの規定ビーム経路（９）の長さに関する、少なくとも１つのパラメータ、及び／又は照射される少なくとも１つの層の少なくとも１つの領域（１０、１３）の形状に関する、少なくとも１つのパラメータに応じた決定の少なくとも一部に基づいて、前記エネルギービーム（４）が前記規定ビーム経路（９）又は代替ビーム経路（１２）に沿って案内される、方法。
【請求項２】
少なくとも１つの規定ビーム経路（９）及び前記代替ビーム経路（１２）は、規定の角度（１５）をなす、請求項１に記載の方法。
【請求項３】
前記少なくとも２つの隣接する規定ビーム経路（９）のビーム経路長に応じた決定の少なくとも一部に基づいて、前記少なくとも１つのエネルギービーム（４）が、前記少なくとも２つの隣接する規定ビーム経路（９）に沿って案内されるか、又は前記エネルギービーム（４）が、代替ビーム経路（１２）に沿って案内され、
前記少なくとも２つの隣接する規定ビーム経路（９）と前記代替ビーム経路（１２）は前記造形平面（６）の前記領域（１０、１３）に割り当てられる、
請求項１又は請求項２に記載の方法。
【請求項４】
前記代替ビーム経路（１２）は、前記少なくとも２つの隣接する規定ビーム経路（９）の規定ポイントを通って延在する、請求項３に記載の方法。
【請求項５】
前記代替ビーム経路（１２）は、前記少なくとも２つの隣接する規定ビーム経路（９）の中心（１４）を結ぶ、請求項３又は請求項４に記載の方法。
【請求項６】
前記少なくとも２つの隣接する規定ビーム経路（９）は、少なくとも部分的に平行に配置される、請求項３〜請求項５のいずれか一項に記載の方法。
【請求項７】
少なくとも１つの規定ビーム経路（９）と前記代替ビーム経路（１２）は、規定の角度（１５）をなす、請求項３〜請求項６のいずれか一項に記載の方法。
【請求項８】
２つの隣接する規定ビーム経路（９）の間の距離（１６）に応じた決定の少なくとも一部に基づいて、前記少なくとも１つのエネルギービーム（４）が前記代替ビーム経路（１２）又は前記少なくとも２つの隣接する規定ビーム経路（９）に沿って案内される、請求項３〜請求項７のいずれか一項に記載の方法。
【請求項９】
物体データに応じた決定の少なくとも一部に基づいて、前記少なくとも２つの隣接する規定ビーム経路（９）は、規定される、請求項３〜請求項８のいずれか一項に記載の方法。
【請求項１０】
前記少なくとも２つの隣接する規定ビーム経路（９）のビーム経路長が、規定ビーム経路の長さ（１１）より短い又は一致する場合には、前記エネルギービーム（４）が前記代替ビーム経路（１２）に沿って案内される、請求項３〜請求項９のいずれか一項に記載の方法。
【請求項１１】
前記規定ビーム経路の長さ（１１）は、前記造形材料（３）の物理的及び／又は化学的パラメータ、及び／又は造形される物体（２）の物体パラメータに応じた決定の少なくとも一部に基づいて、規定される、請求項１０に記載の方法。
【請求項１２】
前記規定ビーム経路の長さ（１１）は、造形材料の照射に係わるプロセスパラメータに応じた決定の少なくとも一部に基づいて、規定される、請求項１０又は請求項１１に記載の方法。
【請求項１３】
前記規定ビーム経路の長さは１ｍｍ又は１ｍｍ未満に規定される、請求項１０〜請求項１２のいずれか一項に記載の方法。
【請求項１４】
前記規定ビーム経路の長さ（１１）は、前記エネルギービーム（４）の実際の及び／又は公称のスポットサイズに応じた決定の少なくとも一部に基づいて、規定される、請求項１０〜請求項１３のいずれか一項に記載の方法。
【請求項１５】
規定数の隣接する規定ビーム経路（９）のビーム経路長が、前記規定ビーム経路の長さ（１１）より短い場合には、前記少なくとも１つのエネルギービーム（４）が前記代替ビーム経路（１２）に沿って案内される、請求項１０〜請求項１４のいずれか一項に記載の方法。
【請求項１６】
少なくとも１つのエネルギービーム（４）によって固化可能な造形材料（３）層の、連続的な層ごとの選択照射及び固化によって、３次元物体（２）を付加製造するための装置（１）であって、前記エネルギービーム（４）は、造形材料（３）を照射するために、造形平面（６）内に配置された少なくとも１つのビーム経路に沿って案内可能である装置において、
前記少なくとも１つの規定ビーム経路（９）の長さに関する、少なくとも１つのパラメータ、及び／又は照射される少なくとも１つの層の少なくとも１つの領域（１０、１３）の形状に関する、少なくとも１つのパラメータに応じた決定の少なくとも一部に基づいて、前記少なくとも１つのエネルギービーム（４）を前記規定ビーム経路（９）又は代替ビーム経路（１２）に沿って案内するように適合される照射デバイスを備える、装置。
【手続補正２】
【補正対象書類名】明細書
【補正対象項目名】００４１
【補正方法】変更
【補正の内容】
【００４１】
当然ながら、本発明の方法は、本発明の装置１上で遂行可能である。
以上の開示から以下の付記が提案される。
（付記１）
少なくとも１つのエネルギービーム（４）によって固化可能な造形材料（３）層の、連続的な層ごとの選択照射及び固化によって３次元物体（２）を付加製造するための少なくとも１つの装置（１）を操作する方法であって、前記エネルギービーム（４）が、造形材料（３）を照射するために、造形平面（６）内に配置された少なくとも１つの規定ビーム経路（９）に沿って案内可能である方法において、
前記少なくとも１つの規定ビーム経路（９）の長さ、及び／又は照射される少なくとも１つの層の少なくとも１つの領域（１０、１３）の形状に関する、少なくとも１つのパラメータに応じて、前記エネルギービーム（４）が前記規定ビーム経路（９）又は代替ビーム経路（１２）に沿って案内されることを特徴とする、方法。
（付記２）
少なくとも２つの隣接する規定ビーム経路（９）のビーム経路長に応じて、前記少なくとも１つのエネルギービーム（４）が、前記少なくとも２つの隣接する規定ビーム経路（９）に沿って案内されるか、又は前記エネルギービーム（４）が代替ビーム経路（１２）に沿って案内され、前記少なくとも２つの隣接する規定ビーム経路（９）と前記代替ビーム経路（１２）は前記造形平面（６）の前記領域（１０、１３）に割り当てられることを特徴とする、付記１に記載の方法。
（付記３）
前記少なくとも２つの隣接する規定ビーム経路（９）のビーム経路長が規定ビーム経路長（１１）以下であれば、前記エネルギービーム（４）は、前記代替ビーム経路（１２）に沿って案内されることを特徴とする、付記１〜付記２のいずれか一項に記載の方法。
（付記４）
前記代替ビーム経路（１２）は、前記少なくとも２つの隣接する規定ビーム経路（９）の規定ポイント、具体的には中心（１４）を通って延在することを特徴とする、付記１〜付記３のいずれか一項に記載の方法。
（付記５）
前記代替ビーム経路（１２）は、前記少なくとも２つの、特に複数の隣接する規定ビーム経路（９）の中心（１４）を結ぶことを特徴とする、付記１〜付記４のいずれか一項に記載の方法。
（付記６）
前記少なくとも２つの隣接する規定ビーム経路（９）は、少なくとも部分的に平行に配置される、付記１〜付記５のいずれか一項に記載の方法。
（付記７）
少なくとも１つの規定ビーム経路（９）と前記代替ビーム経路（１２）は、規定の角度（１５）をなすことを特徴とする、付記１〜付記６のいずれか一項に記載の方法。
（付記８）
前記規定ビーム経路の長さ（１１）は、前記造形材料（３）の物理的及び／又は化学的パラメータ、及び／又は造形される物体（２）の物体パラメータに応じて規定される、付記１〜付記７のいずれか一項に記載の方法。
（付記９）
前記規定ビーム経路の長さ（１１）は、製造プロセスに関する少なくとも１つのプロセスパラメータ、具体的には前記造形材料の照射、好ましくはエネルギー源の電力及び／又は強度、及び／又は前記エネルギー源の走査速度、及び／又は前記エネルギー源のスポットサイズに係わるプロセスパラメータに応じて規定されることを特徴とする、付記１〜付記８のいずれか一項に記載の方法。
（付記１０）
前記規定ビーム経路の長さは１ｍｍ又は１ｍｍ未満に規定されることを特徴とする、付記１〜付記９のいずれか一項に記載の方法。
（付記１１）
前記規定ビーム経路の長さ（１１）は、前記エネルギービーム（４）の実際の及び／又は公称のスポットサイズに応じて規定されることを特徴とする、付記１〜付記１０のいずれか一項に記載の方法。
（付記１２）
規定数の隣接する規定ビーム経路（９）、具体的には３つ以上の隣接する規定ビーム経路（９）、好ましくは少なくとも５つの隣接する規定ビーム経路（９）のビーム経路長が、前記規定ビーム経路の長さ（１１）より短い場合には、少なくとも１つのエネルギービーム（４）が前記代替ビーム経路（１２）に沿って案内されることを特徴とする、付記１〜付記１１のいずれか一項に記載の方法。
（付記１３）
前記少なくとも１つのエネルギービーム（４）が、２つの隣接する規定ビーム経路（９）間の距離（１６）に応じて、前記代替ビーム経路（１２）又は前記少なくとも２つの隣接する規定ビーム経路（９）に沿って案内されることを特徴とする、付記１〜付記１２にいずれか一項に記載の方法。
（付記１４）
前記少なくとも２つの隣接する規定ビーム経路（９）は、物体データ、具体的には物体の３次元データに応じて規定されることを特徴とする、付記１〜付記１３のいずれか一項に記載の方法。
（付記１５）
少なくとも１つのエネルギービーム（４）によって固化可能な造形材料（３）層の、連続的な層ごとの選択照射及び固化によって、３次元物体（２）を付加製造するための装置（１）であって、前記エネルギービーム（４）は、造形材料（３）を照射するために、造形平面（６）内に配置された少なくとも１つのビーム経路に沿って案内可能である装置において、
前記少なくとも１つの規定ビーム経路（９）の長さ、及び／又は照射される少なくとも１つの層の少なくとも１つの領域（１０、１３）の形状に関する、少なくとも１つのパラメータに応じて、照射デバイスが、前記少なくとも１つのエネルギービーム（４）を前記規定ビーム経路（９）又は代替ビーム経路（１２）に沿って案内するように適合されることを特徴とする、装置。